(57)【要約】【課題】照明用リモコン送信器のリモコン操作に対応した制御の機能表示を明確に識別出来るようにする。【解決手段】多段階調光照明器具または連続調光照明器具の全光、調光、常夜灯、消灯の各点灯・消灯モードを、制御する照明用リモコン送信器において、前記各点灯・消灯モードを、表示するよう正面に設けた液晶画面１１のモード表示部１２を備え、この液晶画面に前記各点灯モードを表す円形画像を配置したことを特徴とする。【選択図】　図１
2004111204.tif 000002
【特許請求の範囲】
【請求項１】
多段階調光照明器具または連続調光照明器具の全光、調光、常夜灯、消灯の各点灯モードを、制御する照明用リモコン送信器において、前記各点灯・消灯モードを、表示するよう正面に設けた液晶画面を有し、この液晶画面に前記各点灯モードを表す画像を配置したことを特徴とする照明用リモコン送信器。
【請求項２】
点灯モードの表示に、円形の液晶画面を用い、この円形の液晶画面の外側リング部分で、その点灯比率またはモードを表示した請求項１記載の照明用リモコン送信器。
【請求項３】
点灯モードの表示が、外側リング部分を４つに区分して行われた請求項２記載の照明用リモコン送信器。
【請求項４】
円形の液晶画面の内側の小円部分で、消灯モードの常夜灯表示をした請求項２または３記載の照明用リモコン送信器。
【請求項５】
点灯モードが、順送りスイッチにより、順次、全灯、昼光色、電球色と切替られるセレクト点灯モードである請求項１，２または３記載の照明用リモコン送信器。
【請求項６】
点灯モードが、第１の順送りスイッチにより、順次、全灯、７０％、５０％、３０％等の所定点灯割合で切替られる多段階調光モードである請求項１，２または３記載の照明用リモコン送信器。
【請求項７】
消灯モードが、第２の順送りスイッチにより、常夜灯、消灯の切替られる請求項１または４記載の照明用リモコン送信器。
【発明の詳細な説明】
【０００１】
【発明の属する技術分野】
本発明は、照明器具用のリモコン送信器に関し、特に点灯・消灯モードを容易に識別できるようにしたリモコン送信器に関する。
【０００２】
【従来の技術】
従来の蛍光灯照明器具用リモコン送信機は、ＬＥＤ３個を搭載し、ボタン操作により、全光−調光−保安球−消灯、の順に切り替える順送り操作が基本であった。
【０００３】
さらに、蛍光ランプ２本〜３本を搭載した照明器具において、外側の搭載ランプに昼光色ランプを、内側に電球色ランプを配置、またはこれと逆に、外側に電球色ランプ、内側に昼光色ランプを、それぞれ配置する照明器具もよく知られている。これらの照明器具は、シーンセレクト機能付照明器具として知られている。
【０００４】
一方、点灯モードとして、全光→調光１（７０％）→調光２（５０％）→調光３（３０％）→保安球→消灯、の順に切り替えることができる多段階調光照明器具も出てきた。また、段階的な切り替えでなく、連続調光照明器具も知られるようになった。このように、従来のスタンダードタイプの照明器具、セレクト機能付照明器具、多段階調光照明器具、連続調光照明器具のリモコン送信機は、照明器具のセード内の明るさを目視でそのつど確認しながら、必要な点灯モードを選択、確認していた。
【０００５】
例えば、連続調光照明器具のリモコン送信機として、照明部の点灯後も周囲の照度を検出して、照度に応じた調光制御を行うことができる照明制御装置がある（例えば、特許文献１参照。）。
【０００６】
この照明制御装置は、図４のブロック図のようになっている。すなわち、照明器具３０は、周囲照度を検出する第１の照度センサ部３１と、第１の照度センサ部３１の様々な制御を行う照度センサ制御部３２と、外部より赤外線光などの光信号からなるワイヤレス信号にて送信された制御信号を受信する信号受信部３３と、この照明器具３０の様々な設定を行うための設定操作部３４と、照明器具３０に関する様々な設定情報を記憶する不揮発性のメモリ部３５と、照明負荷を点灯又は消灯させる照明負荷部３６と、各部の動作を制御する器具制御部３７と、各部に動作電源を供給する電源部３８とから構成される。
【０００７】
この装置のリモコン送信器２０は、人の存否を検出する人体センサ部２１と、赤外線光などの光信号からなるワイヤレス信号にて照明器具３０へ制御信号を送信する信号送信部２３と、照明器具３０を点灯又は消灯させるための切替操作を行ったり、様々な設定を行うためのリモコン操作部２４と、各部の動作を制御するリモコン制御部２５と、各部に動作電源を供給する電源部２６とから構成される。
【０００８】
このリモコン送信器２０の人体センサ部２１が人を検知して人体検知信号を発生したり、リモコン操作部２４が操作に応じて操作信号を発生すると、リモコン制御部２５は、人体センサ部２１の人体検知信号やリモコン操作部２４の操作信号に基づいて、信号送信部２３から外部へワイヤレス信号にて制御信号を送信させ、照明器具３０の信号受信部３３が信号送信部２３から送信された制御信号を受信する。また、第１の照度センサ部３１は周囲の照度を検出しており、器具制御部３７は信号受信部３３の受信した制御信号及び第１の照度センサ部３１の検出した照度に基づいて調光信号を発生し、照明負荷部３６が器具制御部３７の調光信号に基づいて照明負荷を調光点灯する。
【０００９】
この時、照明負荷部３６が照明負荷を点灯させた後も、第１の照度センサ部３１は周囲の照度を検出しており、器具制御部３７は照度センサ部３１の検出した照度に応じた調光信号を発生し、照明負荷部３６が器具制御部３７の調光信号に基づいて照明負荷を調光点灯し、周囲の照度を予め設定された照度に制御している。
【００１０】
この照明制御装置において、さらに、照明器具３０の第１の照度センサ部３１が、照明器具３０のセードやグローブからなるカバーに覆われる部位に配設されている。また。リモコン送信器２０には、リモコン送信器２０の周辺の照度を検出する透過率測定手段たる第２の照度センサ部２２を設けている。そして、第１の照度センサ部３１の信号出力と、第２の照度センサ部２２の信号出力とからカバーの透過率を測定し、カバーの透過率が低い場合には、感度補正手段たる照度センサ制御部３２が第１の照度センサ部３１の感度を高く、カバーの透過率が高い場合には、照度センサ制御部３２が第１の照度センサ部３１の感度を低くしている。
【００１１】
一方、スタンダードタイプの照明器具は、全光、調光、保安球、消灯、それぞれの段階を目視で容易に確認できたが、多段階調光照明器具および連続調光照明器具は、セード越しに必要な明るさを選択、確認することは容易ではなかった。このセレクト機能付照明器具では、明るさよりランプ色の選択であり、見分けることはできるが、点灯状態をリモコン送信機で確認することはできなかった。例えば、光源の光出力を制御する照明装置として、以下に説明するものがある（例えば、特許文献２参照。）。
【００１２】
この照明装置は、図５のブロック図に示すように、光源と光源を点灯させる点灯手段とを有する照明器具４０と、被照射面の照度を検出する明るさ検出手段４１と、明るさ検出手段４１の検出値を受けて光源の光出力を制御する制御部４２と、被照射面の照度を所定値に設定する第１のモード、及び明るさ検出手段４１の検出値を受けて光源の光出力を制御する第２のモードとを切り替えるモード切替手段４３とを設け、第２のモード時に、記憶された検出値を維持する様に光源の光出力を制御している。ここで、制御部４２は、光源の光出力を制御する為の目標値や光出力の範囲などの様な制御に必要な設定を記憶する記憶手段を有し、また、設定手段４３は、制御部４２の制御モード切替手段と、照明器具４０の光出力を調整する光出力調整手段とを有している。
【００１３】
この動作は、通常は、被照射面の照度が所定の値になる様に、明るさ検出手段４１の検出値を基に器具４０の光出力を制御し、つまり、予め設定された検出値を明るさ検出手段４１が得られる様に明るさ検出手段４１によるフィードバック制御（センサモード）されている。被照射面の照度を設定あるいは変更する際には、設定手段４３のモード切替手段によって、センサモードから調整モードに切り替える調整モード切替信号を送出する。例えば、リモートコーントロール装置（リモコン）から送出された調整モード切替信号が、天井面などに設けられたリモコン受信器にて受信されると、センサモードから調整モードに切り替わる。調整モードになると、明るさ検出手段４１の検出値に関係なく、設定手段４３の光出力調整手段による光出力ＵＰ信号により器具４０の光出力をＵＰし、光出力ＤＯＷＮ信号により器具４０の光出力をＤＯＷＮして、被照射面照度を所望の値に調整する。調整が終了すると、センサーモード復帰信号をリモコン受信器に送信し、センサモードへ復帰させる。センサモードへ復帰する際に、被照射面照度の調整が終了した状態での明るさ検出手段４１の検出値を制御部４２の記憶手段に記憶し、以後は、制御部４２の記憶手段に記憶された明るさ検出手段４１の検出値になる様に器具４０の光出力を制御する。
【００１４】
この照明装置は、現在の動作モードや点灯状態（例えば光出力範囲が上限値になっている等）を表示する手段を設けたることが出来、その表示手段としては、例えばＬＥＤの色やＬＥＤの点滅、点灯、消灯パターンなどにより判別するものがあり、その一例が図に示されている。その点灯状態は、点灯、点滅、消灯で示され、また、例えばＬＥＤ１は赤色でモード表示を行い、ＬＥＤ２は緑色で点灯状態表示を行っている。ただし、この表示手段がどこにあるか説明していない。
【００１５】
さらに、例えば、一般の電子機器の制御を確認する方法として、リモートコントローラの操作パネルの動作確認装置が、複数の操作部及び複数の表示部を有する操作パネルの動作を確認したものがである（例えば、特許文献３参照。）。
【００１６】
図６はその操作パネルの動作確認装置における基本的な機能を示す機能ブロック図である。この操作パネルの動作確認装置は、操作パネルの動作確認を行う動作確認モードを上記電子機器本体の電子回路に設定するモード設定手段であるモード設定機能部５１と、上記電子機器本体の電子回路の動作モードで上記複数の表示部全てを同時に点灯又は点滅させる第１のモードである全点灯モード５１ａと上記複数の表示部を所定の順序で順次点灯又は点滅させる第２のモードである順次点灯モード５１ｂに切換設定する切換手段であるモード切換選択機能部５２を有している。
【００１７】
この各モードの設定は、装置の起動後に各モードに対応する設定をソフトウェアにより設定している。また、各モードの切換選択は、入力端子５０を介して供給されるモード切換選択信号（例えば後述する割込信号）に応じて行っている。以後の選択されたモードに応じた操作パネルである各基板５３ａ〜５３ｎの動作チェック処理が行われる。また、図６に示す操作パネルの動作確認を行う動作確認モード時に、上記電子回路は上記複数の操作部の操作状態に応じた表示を上記表示部にて行うモードとしてキーマトリクスモード５１ｃが上記モード設定機能部５１で設定される。このキーマトリクスモード５１ｃは、第３のモードとして上記モード切換選択機能部５２で切換選択される。
【００１８】
【特許文献１】
特開平１１―０４０３７４号公報
【特許文献２】
特開平１０―２７０１７８号公報
【特許文献３】
特開平５―２４１５１３号公報
【００１９】
【発明が解決しようとする課題】
しかし、上述した従来技術では、全光、調光、保安球、消灯、それぞれの段階を目視で容易に確認できたが、多段階調光照明器具および連続調光照明器具は、セード越しに必要な明るさを選択、確認することは容易ではなかった。また、セレクト機能付照明器具では、明るさよりランプ色の選択であり、見分けることは出来なかった。
【００２０】
本発明の目的は、リモコン操作に対応した制御の機能表示を明確に識別出来るようにした照明用リモコン送信器を提供することにある。
【００２１】
【課題を解決するための手段】
本発明の構成は、多段階調光照明器具または連続調光照明器具の全光、調光、常夜灯、消灯の各点灯モードを、制御する照明用リモコン送信器において、前記各点灯・消灯モードを、表示するよう正面に設けた液晶画面を有し、この液晶画面に前記各点灯モードを表す画像を配置したことを特徴とする。
【００２２】
本発明において、点灯モードの表示に、円形の液晶画面を用い、この円形の液晶画面の外側リング部分で、その点灯比率またはモードを表示することげでき、また、点灯モードの表示が、外側リング部分を４つに区分して行うことができ、また、点灯モードが、順送りスイッチにより、順次、全灯、昼光色、電球色と切替られるセレクト点灯モードであり、また、点灯モードが、第１の順送りスイッチにより、順次、全灯、７０％、５０％、３０％等の所定点灯割合で切替られる多段階調光モードであることができる。
【００２３】
さらに、本発明において、円形の液晶画面の内側の小円部分で、消灯モードの常夜灯表示をし、消灯モードが、第２の順送りスイッチにより、常夜灯、消灯と切替られることができる。
【００２４】
本発明の構成によれば、照明器具のセードのため全光、調光、保安球、消灯、を確認できなかった多段階調光照明器具、連続調光照明器具でも、各点灯モードをリモコン送信機で容易に確認できるようになった。
【００２５】
【発明の実施の形態】
次に図面により本発明の実施形態を説明する。図１（ａ）（ｂ）は本発明の一実施形態の照明用リモコン送信器の正面図および側面図、図２はその機能を説明するブロック図である。この図１に示すように、本実施形態のリモコン送信器１０は、このリモコン送信器本体１０ａの正面に、円形にして上部表示部と下部操作部とを一体に配置したものである。円形上部に配置した矩形の液晶表示部１１は、その中央に円形に画像を形成したモード表示部１２を設け、円形上部に配置した半円形の左に消灯スイッチＳ１のボタン１６を配置し、この半円形の右に順送りスイッチＳ２のボタン１７を配置している。
【００２６】
なお、このリモコン送信器１０の赤外線送信部１４は、その上端に配置され、リモコン送信器１０の裏面には、このリモコン送信器１０を平坦にテーブルなどな上に置く、台１８が設けられている。
【００２７】
このリモコン送信器１０は、図２のように、常夜灯、消灯を切替える消灯スイッチ１６（Ｓ１）と、点灯モードを切替える順送りスイッチ１７（Ｓ２）と、これらスイッチ１６，１７からの接点信号を記憶し、どのモードにあるかを区別しモード制御を行う制御用マイコン１と、この制御用マイコン２からの表示信号を液晶表示できるように駆動する液晶表示コンドローラ２と、この液晶表示コンドローラ２の出力によりモード画像を表示する液晶表示部３（１２）とから構成される。
【００２８】
図３（ａ）〜（ｃ）は、図２の液晶表示部３のモード表示部１２の液晶画像を説明する表示図である。図３（ａ）は、矩形の液晶表示部３に設けた、円形のモード表示部１２の一例で、連続調光照明器具の点灯比率を、四分割したリング状のグラフィック画面を示している。すなわち、順送りスイッチＳ２により、順次照明器具の全部点灯を「全灯」１２ａ、その７０％点灯を「７０％」１２ｂ、その５０％点灯を「５０％」１２ｃ、その３０％点灯を「３０％」１２ｄと切替えている。また、消灯モードでは、図３（ｂ）のように、消灯スイッチＳ１により、照明器具の常夜灯（保安灯）の点灯を「常夜灯」１６ａ、消灯の「消灯」１６ｂと切替られる。
【００２９】
なお、図３（ｃ）は、円形のモード表示部１２の他の例であり、「全灯」１２ｅ、「昼光色」１２ｆ、「電球色」１２ｇの各モードを示す。すなわち、全灯１２ｅは、図３（ａ）と同様であり、昼光色１２ｆはリングの右上、左下を点灯させ、電球色１２ｇはリングの左上、右下を点灯させている。
【００３０】
本実施形態のリモコン送信機の液晶表示画面において、リング（円弧）状に四分割したグラフィック画面を設け、照明器具の点灯モードを、全光、昼光色、電球色、保安球、に切り替えると、四分割された当該グラフィック画面が、切り替え順にしたがって点灯部分、消灯部分が切り替わり、点灯しているグラフィック画面が、あたかも回転しているかのように見え、モード識別が容易にできる。また、照明器具の点灯モードにしたがって、点灯するグラフィック画面が決まっているため、グラフィック画面の点滅状態により、照明器具の点灯モードを容易に確認することができる。
【００３１】
【発明の効果】
以上説明したように、本発明によれば、照明器具の点灯モードにしたがって、点灯するグラフィック画面が決まっているため、グラフィック画面の点滅状態により、照明器具の点灯モードを容易に確認することができるという効果があり、また、操作スイッチに近接して点灯モードが配置されているので、点灯モードを確認しながら、容易に操作が可能となるという効果もある。
【図面の簡単な説明】
【図１】（ａ）（ｂ）は本発明の第１の実施形態を説明するリモコン送信器の正面図および側面図。
【図２】図１のリモコン送信機を説明するブロック図。
【図３】（ａ）〜（ｃ）は図１のリモコン送信機のモード表示部分の２つの実施形態の表示図。
【図４】従来例のリモコン送信器と照明装置のブロック図。
【図５】（ａ）（ｂ）は従来例の他のリモコン送信器と照明装置のブロック図。
【図６】従来例のモード制御を説明する装置のブロック図。
【符号の説明】
１　　制御用マイコン
２　　液晶表示コントローラ
３，１２　　モード表示部
１０，２０　　リモコン送信器
１０ａ　　本体
１１　　液晶表示部
１２ａ，１２ｅ　　全灯表示
１２ｂ〜１２ｄ　　７５％，５０％，２５％表示
１２ｆ　　昼光色表示
１２ｇ　　電灯色表示
１４，２３　　送信部
１６　　消灯ボタン（スイッチＳ１）
１６ａ　　常夜灯表示
１６ｂ　　消灯表示
１７　　順送りボタン（スイッチＳ２）
１８　　台
２４　　リモコン操作部
２５　　リモコン制御部
３０，４０　　照明装置
３２　　照度制御部
３４　　設定操作部
４１　　明るさ検出手段
４２　　制御部
４３　　設定手段
５０　　モード選択信号
５１　　モード設定部
５２　　スイッチ
５３　　基板表示部
【図１】
2004111204.tif 000003
【図２】
2004111204.tif 000004
【図３】
2004111204.tif 000005
【図４】
2004111204.tif 000006
【図５】
2004111204.tif 000007
【図６】
2004111204.tif 000008